(57)【要約】【課題】長時間に渡って使用者の頭部を挟持した時に使用者が苦痛を感じないようにした眼鏡フレームを構成する。【解決手段】レンズを保持するフロントフレームと、このフロントフレームの両側に設けられた鎧部と、この鎧部に丁番を介して連結される屈曲可能なテンプルとからなり、前記テンプルは、分割するとともに、分割した部分間を弾性体で連結して構成し、使用者の頭部を挟持するために拡開する時、少なくとも前記弾性体が変位し、これによってテンプルが頭部に対して湾曲状に当接する。【選択図】図１
2008058783.tif 000002
【特許請求の範囲】
【請求項１】
レンズを保持するフロントフレームと、該フロントフレームの両端部にそれぞれ設けられた鎧部と、この鎧部のうちの前記フロントフレームと反対側に設けられたテンプルとを具え、該テンプルは２分割されるとともに、分割された部分間が弾性体で連結され、両部分と弾性体とで構成されていることを特徴とする眼鏡フレーム。
【請求項２】
前記テンプルは丁番を介して前記鎧部に回動可能に設けられている請求項１記載の眼鏡フレーム。
【請求項３】
前記テンプルは、分割された一方の部分と前記弾性体に連結された部分とが互いに協働して弾性を発揮する請求項１記載の眼鏡フレーム。
【請求項４】
前記弾性体は変形Ｓ字状をなしている請求項１記載の眼鏡フレーム。
【請求項５】
前記弾性体と前記鎧部のうちの丁番を介して屈曲可能となっているテンプルの分割された他方の部分とは一体的に形成されている請求項１記載の眼鏡フレーム。
【請求項６】
前記鎧部に丁番を介して屈曲可能となったテンプルの他方の部分は覆い部材に形成され、この覆い部材は前記テンプルが拡開した時に、鎧部を覆うようになっている請求項１記載の眼鏡フレーム。
【発明の詳細な説明】
【技術分野】
【０００１】
この発明はレンズの周囲を保持するフロントフレームの両側に設けられた鎧部に弾性体を介してテンプルを取り付けた眼鏡フレームに関するものである。
【背景技術】
【０００２】
一般に眼鏡のフレームにあっては、特許文献１に示すようなフルリムタイプのものや、ハーフリムタイプ、ツーポイントタイプのものが存在する。そして、左右レンズを取り付けるリムの外側にはそれぞれ鎧部を介して使用者の頭部の側部に当接するテンプルが所定の拡開状態から内方に回動可能に取り付けられていて、折り畳み可能となっている。
【０００３】
上記のように構成されている一般的な眼鏡フレームにあっては、最大に外方に回動して停止した状態、すなわち最大拡開状態でテンプルが使用者の頭部の耳部の両側から挟んで使用者が使用しており、使用者の頭部の幅の大きさに応じて、主にテンプルの反り状態を調整したりして使用中に使用者がきつく感じないようにしていた。
【０００４】
しかしながら、上記のような従来の眼鏡フレームにあっては、主にテンプルの反り状態を調整することで使用者に最適な状態を確保しようとしているが、テンプルは鎧部と一体になっているので、テンプルの調整がリムに取り付けてある鎧部に影響を与えてしまうという問題があった。
しかも、調整は主にテンプルを調整することで行うので、どうしてもテンプルの鎧部側を変位しない状態でテンプルを湾曲させることになり、使用者の頭部にはテンプルの内面の一部が点状に当接する調整になって頭部への当接力が大きくなり、頭部に苦痛が生じる恐れがあるという問題点も有していた。
さらに、前方から見た時に鎧部が剥き出しになっていて体裁が悪いという問題点も有していた。
【特許文献１】特開２００３−４３４２７号公報（図１参照）
【発明の開示】
【発明が解決しようとする課題】
【０００５】
この発明は、所定の拡開状態よりも内方に折り畳み可能となっているテンプルを、弾性体を介して鎧部に連結させてテンプル全体を弾性体によって変位可能としたので、眼鏡を掛けたり外したりする時にテンプルの一方あるいは双方が拡がってテンプル間が拡がってしまって装着感が悪くなり、掛けている時にずれたり、あるいは傾斜したりする恐れがあるがそれらを防止することを目的とするものである。
また、テンプル全体を弾性体によって変位可能としたので、使用者の頭部に対してテンプルの内面の一部が当接するのではなく面状で当接するようにできて使用者の頭部に対して小さい当接力が作用するようにして装着感を小さくし、頭部に苦痛が生じる恐れを無くする眼鏡フレームを提供することを目的とするものである。
さらに、使用者の使用時に鎧部は前方からその形状がハッキリと判ってしまうので鎧部の形状によっては体裁が悪くなってしまうが、簡単な構成でそれを阻止することができる眼鏡フレームを提供することを目的とするものである。
【課題を解決するための手段】
【０００６】
この発明は、レンズを保持するフロントフレームと、該フロントフレームの両端部にそれぞれ設けられた鎧部と、この鎧部のうちの前記フロントフレームと反対側に設けられたテンプルとを具え、該テンプルは２分割されるとともに、分割された部分間が弾性体で連結され、両部分と弾性体とで構成した手段を採用した。そして、テンプルは丁番を介して前記鎧部に回動可能に設けられ、テンプルは、分割された一方の部分と前記弾性体に連結された部分とが互いに協働して弾性を発揮し、弾性体は変形Ｓ字状をなし、弾性体と前記鎧部のうちの丁番を介して屈曲可能となっているテンプルの分割された他方の部分とは一体的に形成されている。また、鎧部に丁番を介して屈曲可能となったテンプルの他方の部分は覆い部材に形成され、この覆い部材は前記テンプルが拡開した時に、鎧部を覆うようになっている。
【発明の効果】
【０００７】
この発明の眼鏡フレームにあっては、リムの両外側に取り付けられた鎧部に丁番を介してテンプルの一部を構成する弾性体を連結し、この弾性体にテンプル本体を配設し、テンプルがそれを構成する弾性体によって変位可能となったので眼鏡を掛けたり外したりする時にテンプルの一方あるいは双方が拡がってテンプル間が拡がってしまって装着感が悪くなり、掛けている時に下がったり、あるいは傾斜したりする恐れを防止できる。
また、テンプル全体を弾性体によって変位可能としたので使用者の頭部に対してテンプル本体の内面の一部が当接するのではなく面状で当接するようになった。これにより使用者の頭部に対して当接力が小さくなるようにして装着感を少なくし、使用中に使用者の頭部に苦痛が生じる恐れを無くすことができる。
さらに、テンプル本体が弾性を有している場合には上記の場合よりもさらに頭部への当接が柔らかくなるので、使用者の頭部に対して当接力が小さくなるようにして装着感を少なくし、使用中に使用者の頭部に苦痛が生じる恐れを無くすことができる。
さらに、覆い部材を存在させることにより鎧部を直接に見えなくして体裁を良好にすることができる。
【発明を実施するための最良の形態】
【０００８】
以下、図面に示すこの発明の実施例について説明する。
図１にはこの発明による眼鏡フレーム１の概略平面図が、図２には概略正面図が、そして図３には斜め上方から見た概略図がそれぞれ示されており、さらに図４（ａ）にはリムと鎧部と覆い部材と弾性体とテンプルとの連結状態の概略図が、図４（ｂ）には鎧部を丁番で屈曲した状態の概略図が示されている。
【０００９】
この眼鏡フレーム１はハーフリムタイプであって、左右一対のレンズ２、２が取り付けられているとともに、ブリッジ４で連結されている。そして、フロントフレームを形成するリム３、３と、このリム３、３の外側端に設けられてレンズ２、２を交換等する時にリム３、３を開放するとともに、レンズ２、２を位置した後にはレンズ２、２の外周を挟持するように固定する鎧部５、５と、この鎧部５、５に連結される弾性体６、６と、この弾性体６、６に連結されるとともに、使用者の頭部の耳部の上部を押圧し、その部位を挟持するようになっているテンプル９、９の一方の部分７、７とを具えている。したがって、テンプル９、９は、弾性体６、６と、２分割された一方７、７の部分および他方の部分１０、１０とで構成されている。
【００１０】
前記リム３、３の両側の鎧部５、５にはテンプルの一部を構成する部分、すなわち２分割された他方の部分１０が丁番１１によって図４（ａ）に示す状態から図４（ｂ）のように内方へ屈曲可能となっている。
【００１１】
前記リム３、３の両側に設けられた鎧部５、５に連結されたテンプル９、９の他方の部分１０、１０は、既述のように丁番１１を介して屈曲可能である。さらに他方の部分１０、１０には変形Ｓ字状をなす弾性体６、６がそれぞれ連結され、この弾性体６、６にはテンプル９、９の一方の部分７、７が連結されていて、このテンプル９、９の一方の部分７、７は被覆部材８、８で被覆されている。
【００１２】
また、前記テンプル９、９の他方の部分１０、１０にはテンプル９、９が最大限に拡開した時に鎧部５、５の全体を覆う覆い部材１２、１２がねじ１３、１３によって取り付けられている。
【００１３】
したがって、前記丁番１１、１１によって前記テンプル９、９は図１、図２に示す最大限に開放した位置とこの位置から内方に折り畳んだ位置との間を折り畳み可能となっている。
なお、１４、１４は使用者の鼻の両側に当接するノーズパッドである。
【００１４】
上記のように構成された眼鏡フレーム１において、まず、折り畳んだ状態から両テンプル９、９を拡開して図１、図２に示す状態とし、使用者が使用し得る状態とする。
そして、使用者が使用を開始するために両テンプル９、９の一方の部分７、７間に頭部を挿入、すなわち使用者の頭部の両耳部の上側間を両テンプルの一方の部分７、７間で挟持する。
【００１５】
この挟持時には両テンプル９、９を拡開するとテンプル９、９が丁番１１、１１を支点として拡開するだけではなく、テンプル９、９の一部をなす変形Ｓ字状の弾性体６、６も変位させることになる。
【００１６】
すなわち、拡開状態の両テンプル９、９間を頭部よりも狭くしておくことで、変形Ｓ字状の弾性体６、６を弾性変形させることと、弾性体６、６に設けたテンプル９、９の一方の部分７、７が外方に変位することとが相俟ってテンプル９、９自体が使用者の頭部に面状に当接することになる。
なお、テンプル９、９の一方の部分７、７自体が弾性変位することがない場合であっても弾性体６、６が弾性変形することで十分にテンプル９、９が使用者の頭部に面状に当接することになる。
【００１７】
このようなテンプル９、９あるいはテンプルの一方の部分７、７を被覆している被覆部材８、８が使用者の頭部に当接してそれら間で使用者の頭部を挟持している。また、覆い部材１２、１２がリム３、３の外側に設けられた鎧部５、５を覆っているので図３に示すように前方からは鎧部５、５がまったく見えずに覆い部材１２、１２だけが見えることになる。したがって、被覆部材８、８と覆い部材１２、１２とを統一した質感あるいは色彩等に形成することで非常に体裁が良いものとなる。
【００１８】
そして、一般的な眼鏡フレームの場合のようにテンプルの一部が頭部と当接してその部分の頭部に大きな力を作用させて使用者が強い装着感を感じるのと異なって、弾性体６、６の存在によりテンプル９、９の一方の部分７、７が面接触、すなわち湾曲状に当接することとなって頭部の各部に小さい力を作用させるので長時間に渡って使用しても使用者が強い装着感を感じることがない。しかも、確実に使用者の頭部を挟持しているので使用中にずれたり落下したりする恐れは全く無いものである。
【００１９】
図５にはこの発明の他の実施の形態が示されていて、図５（ａ）は鎧部４５に丁番５１を介してテンプル４９を連結したものであり、このテンプル４９は鎧４５に丁番５１を介して連結される他方の部分５０と、この他方の部分５０に連結される変形Ｓ字状の弾性体５６と、この変形Ｓ字状の弾性体５６に連結される一方の部分５７とで構成されている。
【００２０】
この実施の形態においてはテンプル４９自体を弾性を有するように形成し、このテンプル４９の一方の部分５７が使用者の頭部の耳部の上部を両側から挟持するようになっている。
したがって、挟持時には変形Ｓ字状の弾性体５６と、テンプルの一方の部分５７の弾性とが協働して弾性を発揮するので、使用者の頭部に面状に当接して小さい作用力で確実に挟持することになる。したがって、使用者が長時間に渡って使用した時であっても苦痛に感じる恐れが全く無いものである。
【００２１】
なお、前記他の実施の形態においては図示していないがテンプルの一方の部分５７にモダンを設けても、また、前記実施の形態のように被覆部材で被覆しても良いものである。
さらに前記各実施の形態において説明したフロントフレームはフルリムタイプ、ハーフリムタイプ、ツーポイントタイプであっても良いものである。
【図面の簡単な説明】
【００２２】
【図１】この発明の実施の形態による眼鏡フレームの概略平面図である。
【図２】この発明の実施の形態による眼鏡フレームの概略正面図である。
【図３】この発明の実施の形態による眼鏡フレームを斜め上方から見た概略図である。
【図４】この発明の実施の形態による眼鏡フレームのリムと鎧部と弾性体とテンプルとの連結状態を示す概略図であって、図４（ａ）はテンプルの拡開した状態を示す要部の概略図、図４（ｂ）は内方に屈曲した状態を示す要部の概略図である。
【図５】この発明の他の実施の形成を示し、眼鏡フレームのリムと鎧部と弾性体とテンプルとの連結状態を示す概略図であって、図５（ａ）はテンプルの拡開した状態を示す要部の概略図、図５（ｂ）は内方に屈曲した状態を示す要部の概略図である。
【符号の説明】
【００２３】
１……眼鏡フレーム
２……レンズ
３……リム
４……ブリッジ
５、４５……鎧部
６、５６……弾性体
７、５７……テンプルの一方の部分
８……被覆部材
９、４９……テンプル
１０、５０……テンプルの他方の部分
１１、５１……丁番
１２……覆い部材
１３……ねじ
１４……ノーズパッド
【図１】
2008058783.tif 000003
【図２】
2008058783.tif 000004
【図３】
2008058783.tif 000005
【図４】
2008058783.tif 000006
【図５】
2008058783.tif 000007